(57)【要約】【課題】ライトガイドファイババンドルを取り付けることなく照明窓孔に照明用カバーレンズを確実に接合固定することができ、しかも先端部本体が太くならず、内視鏡検査を受ける人に与える苦痛を増大させない内視鏡の先端部を提供すること。【解決手段】ライトガイド配置孔１０に後方から単独筒状部材１３が嵌挿され、その単独筒状部材１３の先端が照明用カバーレンズ１２の後面に押し付け固定されて、単独筒状部材１３内に後方からライトガイドファイババンドル１４の射出端部が嵌挿固定される構成であって、ライトガイド配置孔１０が、ライトガイド配置孔１０と並んで先端部本体２に穿設されている内蔵物配置孔２０と部分的に干渉する状態に形成されると共に、単独筒状部材１３が、ライトガイド配置孔１０の内蔵物配置孔２０と干渉する部分に合わせて切り欠かれている（切り欠き部１３ａ）。【選択図】      図１
2005312563.tif 000002
【特許請求の範囲】
【請求項１】
挿入部先端の先端部本体に後方から穿設されたライトガイド配置孔の先端部分に照明窓孔が形成されて、上記照明窓孔の内側に照明用カバーレンズが配置され、上記ライトガイド配置孔内に後方からライトガイドファイババンドルの射出端部が差し込み固定されるように構成された内視鏡の先端部において、
上記ライトガイド配置孔に後方から単独筒状部材が嵌挿され、その単独筒状部材の先端が上記照明用カバーレンズの後面に押し付け固定されて、上記単独筒状部材内に後方からライトガイドファイババンドルの射出端部が嵌挿固定される構成であって、
上記ライトガイド配置孔が、上記ライトガイド配置孔と並んで上記先端部本体に穿設されている内蔵物配置孔と部分的に干渉する状態に形成されると共に、上記単独筒状部材が、上記ライトガイド配置孔の上記内蔵物配置孔と干渉する部分に合わせて切り欠かれていることを特徴とする内視鏡の先端部。
【発明の詳細な説明】
【技術分野】
【０００１】
この発明は内視鏡の先端部に関する。
【背景技術】
【０００２】
内視鏡の挿入部先端においては、一般に、先端部本体の先端面に形成された照明窓に照明用カバーレンズが取り付けられて、その内側にライトガイドファイババンドルの射出端面が配置されている。
【０００３】
そのような照明窓に照明用カバーレンズを固定する場合に、照明用カバーレンズを照明窓に単純に接着固定しただけでは、滅菌ガス等による消毒滅菌が繰り返された時に固定強度が次第に不十分になって、照明用カバーレンズが脱落する恐れが生じる。
【０００４】
そこで従来は、先端部本体の照明窓孔に照明用カバーレンズを嵌め込んで接着固定する際に、照明用カバーレンズの外縁部分が照明窓孔の内面部分に対して先端部本体の内側から外方に向かって押し付けられた状態に取り付けられるようにしている（例えば、特許文献１）。
【特許文献１】特開２００２−８５３２６
【発明の開示】
【発明が解決しようとする課題】
【０００５】
上述のような従来の内視鏡の先端部においては、先端部本体に後方から穿設されたライトガイド配置孔の先端部分に照明窓孔が形成されており、組み立て接着時には、照明用カバーレンズをライトガイド配置孔内から照明窓孔に押し付けながら接着剤を乾燥させる必要がある。
【０００６】
そこで従来は、ライトガイド配置孔に後方から差し込んだライトガイドファイババンドルの射出端部で照明用カバーレンズを押圧した状態で接着剤を乾燥させていたが、そのようにすると、僅か１ｃｍ程度の大きさの先端部本体部分に対して数メートルの長さに及ぶライトガイドファイババンドルバンドルを引きずった状態になるため、接着剤の乾燥の際の作業性が非常に悪くなってしまう。
【０００７】
そこで、ライトガイド配置孔に後方から単独筒状部材を嵌挿して、その単独筒状部材の先端を照明用カバーレンズの後面に押し付けて接着剤を乾燥させ、乾燥後に、単独筒状部材内に後方からライトガイドファイババンドルの射出端部を差し込み固定する構造を採ることが考えられる。
【０００８】
しかし、そのような構成を採ると、単独筒状部材の肉厚分だけライトガイド配置孔の径を大きくする必要があり、そのために先端部本体を太くすると、内視鏡検査を受ける人に与える苦痛を大きくしてしまうことになる。
【０００９】
そこで本発明は、ライトガイドファイババンドルを取り付けることなく照明窓孔に照明用カバーレンズを確実に接合固定することができ、しかも先端部本体が太くならず、内視鏡検査を受ける人に与える苦痛を増大させない内視鏡の先端部を提供することを目的とする。
【課題を解決するための手段】
【００１０】
上記の目的を達成するため、本発明の内視鏡の先端部は、挿入部先端の先端部本体に後方から穿設されたライトガイド配置孔の先端部分に照明窓孔が形成されて、照明窓孔の内側に照明用カバーレンズが配置され、ライトガイド配置孔内に後方からライトガイドファイババンドルの射出端部が差し込み固定されるように構成された内視鏡の先端部において、ライトガイド配置孔に後方から単独筒状部材が嵌挿され、その単独筒状部材の先端が照明用カバーレンズの後面に押し付け固定されて、単独筒状部材内に後方からライトガイドファイババンドルの射出端部が嵌挿固定される構成であって、ライトガイド配置孔が、ライトガイド配置孔と並んで先端部本体に穿設されている内蔵物配置孔と部分的に干渉する状態に形成されると共に、単独筒状部材が、ライトガイド配置孔の内蔵物配置孔と干渉する部分に合わせて切り欠かれているものである。
【発明の効果】
【００１１】
本発明によれば、ライトガイド配置孔に後方から嵌挿される単独筒状部材により照明用カバーレンズが押圧されて固定されるので、ライトガイドファイババンドルを取り付けることなく照明窓孔に照明用カバーレンズを確実に接合固定することができ、先端部本体にライトガイド配置孔と並んで穿設された内蔵物配置孔とライトガイド配置孔とが部分的に干渉する状態に形成されているので、先端部本体が太くならず、内視鏡検査を受ける人に与える苦痛を増大させないという格別の効果を奏する。
【発明を実施するための最良の形態】
【００１２】
挿入部先端の先端部本体に後方から穿設されたライトガイド配置孔の先端部分に照明窓孔が形成されて、照明窓孔の内側に照明用カバーレンズが配置され、ライトガイド配置孔内に後方からライトガイドファイババンドルの射出端部が差し込み固定されるように構成された内視鏡の先端部において、ライトガイド配置孔に後方から単独筒状部材が嵌挿され、その単独筒状部材の先端が照明用カバーレンズの後面に押し付け固定されて、単独筒状部材内に後方からライトガイドファイババンドルの射出端部が嵌挿固定される構成であって、ライトガイド配置孔が、ライトガイド配置孔と並んで先端部本体に穿設されている内蔵物配置孔と部分的に干渉する状態に形成されると共に、単独筒状部材が、ライトガイド配置孔の内蔵物配置孔と干渉する部分に合わせて切り欠かれている。
【実施例】
【００１３】
図面を参照して本発明の実施例を説明する。
図３は、本発明が適用される内視鏡の挿入部１の先端に配置されている先端部本体１の先端面を示しており、観察窓３と照明窓４とが並んで配置されると共に、処置具突出口（兼吸引口）９が開口している。観察窓３の奥には、矩形状の固体撮像素子６が内蔵されている。
【００１４】
図４は、観察窓３を含む側面断面と照明窓４を含む側面断面とを複合して図示しており、観察窓３の奥には対物光学系５が配置されていて、対物光学系５の第１レンズ５ａが観察窓３に取り付けられている。
【００１５】
固体撮像素子６は、先端部本体２に軸線と平行方向に穿設されている対物枠配置孔２０（内蔵物配置孔）内の、対物光学系５による被写体の投影位置に配置されていて、信号ケーブル７がその後方に引き通されている。
【００１６】
１０は、照明窓４と位置を合わせて、先端部本体２に後方から軸線と平行方向に穿設されたライトガイド配置孔であり、照明用カバーレンズ１２を嵌め込んで接着固定するための照明窓孔１１が、ライトガイド配置孔１０の最先端部分に形成されている。
【００１７】
そのようなライトガイド配置孔１０と対物枠配置孔２０は、先端部本体２の軸線と垂直方向の断面を図示する図５に示されるように、二つのライトガイド配置孔１０が対物枠配置孔２０を挟む位置関係で、先端部本体２に軸線方向に平行に並んで穿設されていて、部分的にライトガイド配置孔１０と対物枠配置孔２０とが干渉してつながった状態に形成されている。そのようにすることにより、先端部本体２の外径が太くなることが抑制されている。
【００１８】
図４に戻って、照明窓孔１１は先細りのテーパ孔状に形成されていて、照明用カバーレンズ１２もそのような照明窓孔１１にピッタリと嵌まり込む先細りのテーパ状に形成されている。
【００１９】
したがって、照明用カバーレンズ１２の外周面が照明窓孔１１の内周面に対して先端部本体２の内側から外方（即ち、後方から前方）に向かって押し付けられた状態に取り付けられている。
【００２０】
１３は、照明用カバーレンズ１２を照明窓孔１１に固定する組み立て工程の際に単独の部品として用いられる円筒形状の単独筒状部材であり、ライトガイド配置孔１０に対して嵌合する状態に後方から差し込まれて、その先端面が照明用カバーレンズ１２の後面に押し付けられた状態で先端部本体２に固定されている。
【００２１】
そして、ライトガイドファイババンドル１４の射出端部がライトガイド配置孔１０に後方から差し込まれてそこに固定されている。１４ａと１４ｂは、ライトガイドファイババンドル１４の口金と被覆チューブである。
【００２２】
図１は、固体撮像素子６を含む断面における先端部本体２の正面断面図であり、固体撮像素子６は対物枠配置孔２０内に配置されている。そして、ライトガイド配置孔１０内に嵌挿されている単独筒状部材１３は、外面が正円形の断面形状だと固体撮像素子６側と干渉してしまうので、単独筒状部材１３は、ライトガイド配置孔１０が対物枠配置孔２０と干渉する部分に合わせて切り欠かれている。
【００２３】
１３ａがその切り欠き部であり、図２に示されるように、単独筒状部材１３の全長にわたって切り欠き部１３ａが形成されている。１３ｂは、単独筒状部材１３がライトガイド配置孔１０内において軸線回りに回転しないように回転方向の位置決めをするための平面部である。
【００２４】
このような構成の内視鏡の挿入部先端において、照明窓孔１１に照明用カバーレンズ１２を固定する際には、まず図６に示されるように、照明窓孔１１の内側位置に照明用カバーレンズ１２を配置して、照明用カバーレンズ１２の外周面と照明窓孔１１の内周面との接触面に接着剤を塗布し、ライトガイド配置孔１０に後方から単独筒状部材１３を差し込んで、単独筒状部材１３の先端面で照明用カバーレンズ１２の後面を押圧する。
【００２５】
単独筒状部材１３が照明用カバーレンズ１２に後方から押し付けられた状態を保つためには、単独筒状部材１３を先端部本体２に固定する必要があるので、固定用ネジ１５を先端部本体２に取り付けてもよく、或いはテープやバンドその他の手段により単独筒状部材１３を先端部本体２に固定してもよい。
【００２６】
そのようにして、照明用カバーレンズ１２が照明窓孔１１に強固に接着固定されたら、図７に示されるように、ライトガイドファイババンドル１４の射出端部を単独筒状部材１３に後方から差し込んで固定する。その固定手段は接着或いは固定ネジのどちらであっても差し支えない。
【００２７】
このようにして、ライトガイドファイババンドル１４の取り付けは照明用カバーレンズ１２を照明窓孔１１に固定する接着剤の乾燥硬化工程が完了した後になるので、乾燥硬化工程がライトガイドファイババンドル１４の品質に全く悪影響を及ぼさない。
【００２８】
なお、本発明は上記実施例に限定されるものではなく、例えばライトガイド配置孔１０と干渉する相手は、対物枠配置孔２０に限らず他の内蔵物配置孔であっても差し支えない。
【図面の簡単な説明】
【００２９】
【図１】本発明の実施例の内視鏡の先端部の固体撮像素子を含む位置における正面断面図である。
【図２】本発明の実施例の内視鏡の先端部の単独筒状部材の斜視図である。
【図３】本発明の実施例の内視鏡の先端部の正面図である。
【図４】本発明の実施例の内視鏡の先端部の複合側面断面図である。
【図５】本発明の実施例の内視鏡の先端部の先端部本体の正面断面図である。
【図６】本発明の実施例の内視鏡の先端部の組立工程を示す複合側面断面図である。
【図７】本発明の実施例の内視鏡の先端部の組立工程を示す複合側面断面図である。
【符号の説明】
【００３０】
１  挿入部
２  先端部本体
４  照明窓
６  固体撮像素子
１０  ライトガイド配置孔
１１  照明窓孔
１２  照明用カバーレンズ
１３  単独筒状部材
１３ａ  切り欠き部
１４  ライトガイドファイババンドル
２０  対物枠配置孔（内蔵物配置孔）
【図１】
2005312563.tif 000003
【図２】
2005312563.tif 000004
【図３】
2005312563.tif 000005
【図４】
2005312563.tif 000006
【図５】
2005312563.tif 000007
【図６】
2005312563.tif 000008
【図７】
2005312563.tif 000009